(57)【要約】【課題】  降雪を伴う冬期間等、季節を問わず安定的に動作可能であり、動物の道路敷地外への脱出を妨げることがないとともに、耐久性に富むとともに、保守・管理の容易な動物用脱出施設の提供。【解決手段】  立設された左右一対の支柱１２，１２と、支柱１２に回動可能に取り付けられ、道路等敷地外から道路等敷地側へは開放しない一方、道路等敷地側から道路等敷地外へ開放可能なフォーク状部１４とを有し、フォーク状部１４を構成する各フォークは独立して開閉動作が可能であり、通常時はフォークを元の位置に復帰させる第１の弾性部材を備えた支持手段によって支柱１２に取り付けられてフォーク状部１４を道路等敷地側から道路等敷地外へ開放可能に構成されているとともに、各フォークは支持手段に対し第２の弾性部材を介して取り付けられ、第２の弾性部材によって各フォークの上方向、下方向、開方向、閉方向のうち少なくとも何れかの方向、或いはこれらのうち複合した方向への動作を許容する。【選択図】    図１
0003162813.tif 000002
【実用新案登録請求の範囲】
【請求項１】
立設された左右一対の支柱と、該支柱に回動可能に取り付けられ、道路等敷地外から道路等敷地側へは開放しない一方、道路等敷地側から道路等敷地外へ開放可能なフォーク状部とを有し、道路等に沿って設置されるフェンスの要所に設けられる動物用脱出施設において、
前記フォーク状部を構成する各フォークは独立して開閉動作が可能であり、通常時は該フォークを元の位置に復帰させる第１の弾性部材を備えた支持手段によって前記支柱に取り付けられて該フォーク状部を道路等敷地側から道路等敷地外へ開放可能に構成されているとともに、該各フォークは該支持手段に対し第２の弾性部材を介して取り付けられ、第２の弾性部材によって該各フォークの上方向、下方向、開方向、閉方向のうち少なくとも何れかの方向、或いはこれらのうち複合した方向への動作を許容することを特徴とする動物用脱出施設。
【請求項２】
前記各フォークが取り付けられた支持手段に、該各フォークの上下動並びに前後動を案内するガイド部を設け、該各フォークが上下又は前後に動く際は該ガイド部と接触しながら一定の範囲内で可動するように構成されていることを特徴とする請求項１に記載の動物用脱出施設。
【請求項３】
前記支持手段は、前記支柱の内側に沿って取り付けられた扉枠に取り付けられていることを特徴とする請求項１又は２に記載の動物用脱出施設。
【請求項４】
前記支持手段と前記支柱又は扉枠との間に介在される第１の弾性部材は、トーションスプリングであることを特徴とする請求項１〜３のうち、いずれか１項に記載の動物用脱出施設。
【請求項５】
前記支持手段と前記各フォークとの間に介在される第２の弾性部材は、ねじ込み引張ばねであることを特徴とする請求項１〜４のうち、いずれか１項に記載の動物用脱出施設。
【考案の詳細な説明】
【技術分野】
【０００１】
本考案は動物用脱出施設（ワンウェイゲート）に係わり、特にエゾ鹿などの動物の進入を防止するために道路や線路沿いに設置されている進入防止施設（防鹿施設）から、鹿などの動物を脱出させるために設けられるゲートに関する。
【背景技術】
【０００２】
近年、北海道地方ではエゾ鹿が急激に増加し、道路や鉄道施設における衝突事故、農作物や森林に食害を引き起こすなど、深刻な問題が生じている。道路や線路は野生動物の生息地域を分断（ロードキル）するため、自動車や鉄道車両との衝突事故がたびたび発生するが、成獣のエゾ鹿の場合は体重が１００キロを超えることから、場合によっては重大事故に発展することもあり、以前より各種の対策が行われている。特に、道路付近の法面には草が生えており、且つ雪融けが早いことから、採食や休息のために道路近辺にエゾ鹿が多くやってくる傾向がある。それに伴って、エゾ鹿の道路横断時に車両との衝突事故が多発する原因となっている。
【０００３】
最近は、このような衝突事故を防止するための対策として、道路に沿ってフェンスを設置し、エゾ鹿の道路横断を防止するとともに、エゾ鹿を含めた野生動物が道路を横切ることなく移動できるようにするため、フェンスの要所にアンダーパス又はオーバーブリッジを設けるなどの方策が同時に取られている。フェンスには金網や生垣などからなる物理的なフェンス、電気牧柵などの心理的なフェンスが含まれるが、道路に沿って設置されるフェンスには金網等による物理的なフェンスを連続して設置することが効果的である。このような物理的フェンスの設置と同時に、道路敷地内にエゾ鹿等が進入した場合を考慮し、脱出装置を併せて設置している。
【０００４】
従来、このような防獣用のフェンスとして、特開２００５−１７５号公報（特許文献１）記載の発明が公知である。同公報記載には、側溝に跨るフェンス体の下部に、道路や線路側には開放動作を行わないトラップ体を設け、このトラップ体によって側溝から小動物が道路側に進入しないように構成した発明が開示されている。
【０００５】
また、特開２００９−２４７２３３号公報には法面などに形成される緑化構造物等への侵入防止方法に関する発明が開示されている。同発明は法面の法枠を構成する梁との間に、線材を張設するとともに当該線材に対し、法枠の上面から離間する方向への変位を規制する固定部を設けている。同発明によれば、獣類の侵入する隙間を閉塞することが可能となり、食害を防止しうるとされている。
【０００６】
さらに、道路沿いなどに設置されているフェンスの要所に設置される動物用脱出施設（いわゆるワンウェイゲート）として、図８に示される施設が公知である。
同図に示される動物用脱出施設１００は、フェンス２００の一部に、所定の間隔を隔てて、左右の支柱１０３Ａ，１０３Ｂを立設するとともに、これらの支柱１０３Ａ，１０３Ｂに、扉枠１０２Ａ，１０２Ｂを設けて構成されている。これらの扉枠１０２Ａ，１０２Ｂには、バネなどの弾性体を介しフォーク状部１０４，１０４・・が回動可能に取り付けられており、道路敷地内に侵入したエゾ鹿が、フォーク状部１０４，１０４・・を道路敷地外側へ押圧することにより開放するようになっており、誤って道路敷地内に侵入したエゾ鹿などの動物を、道路敷地外へ退避させることを目的としている。
【０００７】
具体的には、動物用脱出施設１００は、３本程度の鋼棒１０６，１０６，１０６を一組として形成された左右のフォーク状部１０４，１０４が道路敷地外側の一方向に回動可能であり、エゾ鹿が通り抜けた後はバネの付勢力によってフォーク状部１０４，１０４が元の状態に復帰し、道路敷地外から再び道路敷地内へ侵入できないようになっている。
【先行技術文献】
【特許文献】
【０００８】
【特許文献１】特開２００５−１７５号公報公報
【特許文献２】特開２００９−２４７２３３号公報
【考案の開示】
【考案が解決しようとする課題】
【０００９】
しかしながら、前述した特許文献１記載の発明はあくまで小動物を対象とした発明であり、エゾ鹿などの大型の動物には不向きである。また、特許文献２記載の発明は、あくまで法面に形成された緑化構造物を直接保護するための発明であり、道路敷地外へ侵入したエゾ鹿等を脱出させる装置に関するものではない。
【００１０】
一方、図８に示される動物用脱出施設には以下のような問題点があった。
１．複数の鋼棒によってフォーク状部が形成されている脱出装置の場合、下草や蔓植物の成長、積雪等によって、フォーク状部の開放動作が妨げられる場合があり、円滑に機能しない虞があった。
２．積雪などによってフォーク状部の鋼棒のうち、一本でも破損するとフォーク状部全体を交換しなければならず、維持管理に要するコスト高を招く。
３．積雪によって下方位置のフォーク状部が雪に覆われ、雪の重みによって回動動作が不安定となり、ゲートとしての機能性が著しく低下する。
【００１１】
本考案は、上記のような諸事情に対処するために提案されたものであって、季節を問わず安定的に動作可能であり、動物の道路敷地外への脱出を妨げることのない動物用脱出施設を提供することを目的とする。
また、耐久性に富むとともに、保守・管理の容易な動物用脱出施設を提供することを目的とする。
【課題を解決するための手段】
【００１２】
上記目的を達成するために、請求項１記載の考案は、立設された左右一対の支柱と、該支柱に回動可能に取り付けられ、道路等敷地外から道路等敷地側へは開放しない一方、道路等敷地側から道路等敷地外へ開放可能なフォーク状部とを有し、道路等に沿って設置されるフェンスの要所に設けられる動物用脱出施設において、前記フォーク状部を構成する各フォークは独立して開閉動作が可能であり、通常時は該フォークを元の位置に復帰させる第１の弾性部材を備えた支持手段によって前記支柱に取り付けられて該フォーク状部を道路等敷地側から道路等敷地外へ開放可能に構成されているとともに、該各フォークは該支持手段に対し第２の弾性部材を介して取り付けられ、第２の弾性部材によって該各フォークの上方向、下方向、開方向、閉方向のうち少なくとも何れかの方向、或いはこれらのうち複合した方向への動作を許容することを特徴とする。
【００１３】
請求項２記載の考案は、請求項１において、前記各フォークが取り付けられた支持手段に、該各フォークの上下動並びに前後動を案内するガイド部を設け、該各フォークが上下又は前後に動く際は該ガイド部と接触しながら一定の範囲内で可動するように構成されていることを特徴とする。
【００１４】
請求項３記載の考案は、請求項１又は２において、前記支持手段は、前記支柱の内側に沿って取り付けられた扉枠に取り付けられていることを特徴とする。
【００１５】
請求項４記載の考案は、請求項１〜３のうち、いずれか１項において、前記支持手段と前記支柱又は扉枠との間に介在される第１の弾性部材は、トーションスプリングであることを特徴とする。
【００１６】
請求項５記載の考案は、請求項１〜４のうち、いずれか１項において、前記支持手段と前記各フォークとの間に介在される第２の弾性部材は、ねじ込み引張ばねであることを特徴とする。
【考案の効果】
【００１７】
上述のように、各請求項記載の考案によれば、積雪や植物の成長等によって、仮に下方位置のフォーク状部の動きが妨げられる状況に至ったとしても、個々のフォーク状部単体が独立して開放動作を行うことができるので、脱出用施設としての機能が損なわれることがない。また、フォークは、開放動作に加えて、上下動、左右動が可能であるので、雪の重みなどによる破損を防止することが可能である。
【図面の簡単な説明】
【００１８】
【図１】本考案の一実施形態に係る動物用脱出施設の正面図である。
【図２】同じく、本考案の一実施形態に係る動物用脱出施設の平面図である。
【図３】同じく、本考案の一実施形態に係る動物脱出用施設の要部の分解斜視図である。
【図４】同じく、本考案の一実施形態に係る動物脱出用施設のフォーク状部の構造を示した斜視図である。
【図５】同じく、本考案の一実施形態に係る動物脱出用施設のフォーク状部の構造を示した斜視図である。
【図６】同じく、本考案の一実施形態に係る動物脱出用施設のフォーク状部を側面から視た図であり、各フォークの動きを示した側面図である。
【図７】動物脱出用施設のフォーク状部の変形例を示した側面図である。
【図８】従来の動物用脱出施設の概略斜視図である。
【考案を実施するための最良の形態】
【００１９】
以下、本考案に係る動物用脱出施設の好適な実施形態について添付図面を参照して説明する。
図１は本考案の一実施形態に係る動物用脱出施設の正面図、図２は平面図、図３は動物脱出用施設の要部を示す分解斜視図である。動物用脱出施設１０は道路沿いなどに設置される金網製などのフェンス２００，２００の要所に設置され、誤って道路敷地内に侵入したエゾ鹿などの動物を道路敷地外へ誘導し、車等との衝突事故等を未然に防止するために設置されるものである。
【００２０】
図１に示されるように、本実施形態の動物用脱出施設１０は、主として左右に立設された支柱１２，１２と、フォーク状部１４，１４・・等と、を備えて構成されている。支柱１２，１２は、まず土中に基礎となる鋼管杭１５を埋設し、当該鋼管杭の内側に調整砂を敷き詰めるとともに支柱となる角パイプを鋼管杭の中央部に挿入する。その後、鋼管杭の孔の周囲にモルタルを打設することにより、支柱１２は立設した状態で固定される。左右の支柱１２，１２の間隔は、例えば１５００ｍｍ程度に設定され、支柱１２，１２の上端間同士には、天端梁１６がＬ型接続金具１７，１７によって架設され、ゲートを形成している。
【００２１】
図２及び図３に示されるように、フォーク状部１４は、支柱１２の内側側面に沿って設けられた扉枠２０に、ボックス状に形成された支持手段１８によって回動可能に取り付けられている。扉枠２０は、コの字状断面に形成され、支柱１２に対し、取付ボルト２２によって複数箇所にて取り付けられている。また、扉枠２０には、フォーク状部１４の取付箇所１カ所につき、道路敷地外側に開口する切り欠き部２０Ａ、軸棒受けプレート２１，２１が設けられている。フォーク状部１４は、支持手段１８のスリーブ状に形成された軸棒受ブロック２２が、上下の軸棒受けプレート２１，２１の間に、ボルト２３Ａ及びナット２３Ｂ等によって、開放動作が可能に取り付けられている。
【００２２】
扉枠２０と軸棒受ブロック２２との間には、第１の弾性部材としてのトーションスプリング２４，２４が介在されており、トーションスプリング２４の一端側が、支持手段の表側面部１８Ａに接触しているとともに、他端側が扉枠２０の底部２０Ａに接触し、これによって通常時はフォーク状部１４を図２に示される位置に復帰させることができるようになっている。
【００２３】
また、支持手段１８の裏側面部１８Ｂが、扉枠２０の張出部２０Ｂに当接することによって、フォーク状部１４は、道路敷地側への開放動作が規制されており、動物類は道路敷地外側からは進入することができないようになっている。一方、フォーク状部１４は、動物類が道路敷地外側へ脱出する際に、支持手段１８が扉枠２０の切り欠き部２０Ａから突出するようにして可動し、扉枠２０によって妨げられることなく回動することができるようになっている。
【００２４】
図４及び図５はフォーク状部１４の構造を示した斜視図である。図６はフォーク状部１４を側面から視た図であり、各フォークの動きを示した側面図である。
図４に示されるように、フォーク状部１４は、支持手段１８と、丸鋼のフォーク２６と、第２の弾性部材であるねじ込み引張ばね２８等とを具備している。支持手段１８は、前述したようにボックス状に形成され、図２にも示されるように、その内部に、ねじ込み引張ばね２８の基端側が、溶接金物３２によって取り付けられている。ねじ込み引張ばね２８の先端側には、丸鋼のフォーク２６が結合され、フォーク２６の角度を変えることができるようになっている。図４に示されるように、フォーク２６，２６は平面視くの字状となうように扉枠２０に取り付けられ、その先端は樹脂製ボール３０によってカバーされている。
【００２５】
また、支持手段１８には、フォーク２６の根元部分２６Ａを案内する半円状のガイド部１８Ｃ，１８Ｃが形成され、フォーク２６の根元部分２６Ａを両側から挟み込むことによって、その可動方向を一定の範囲となるようにガイドしている。つまり、フォーク状部１４は、道路敷地外側への回動動作については支持手段１８が可動することにより行う一方、フォーク２６の上下方向への動作はフォーク２６が単独でも上下に動くことができるようになっている。
【００２６】
具体的には、図６（ａ）に示されるように、フォーク２６は、支持手段１８のガイド部１８Ｃ，１８Ｃの円弧部に沿ってフォーク２６の根元部分２６Ａが摺動しながら、上下、脱出方向に可動するようになっている。この結果、例えば、積雪によって下方のフォーク２６の動きが妨げられることがあっても、各フォーク２６は独立して上方向、下方向、開方向（脱出方向）、閉方向に移動でき、且つ、支持手段１８も独立して開放動作を行うことができるので、すべてのフォーク状部１４が動かなくなるといった事態を防ぐことが可能である。
【００２７】
図６（ｂ），（ｃ）に示されるように、フォーク２６が下方に移動する下向きの力や、捩りの力が生じた場合でも、フォーク２６に生じていた荷重がなくなれば、ねじ込み引張ばね２８の弾性力によって、フォーク２６は元の位置に復帰することができる。
なお、本実施形態ではガイド部１８Ｃの形状を半円状に形成しているが、これに限らず、形状を適宜定めることによってフォーク２６の移動方向をコントロールすることが可能である。
【００２８】
図７は、支持手段の変形例を示した図である。前述した図６における支持手段１８では、ガイド部１８Ｃを円弧状に形成しているのに対し、図７の支持手段１８´は、ガイド部１８´Ｃを、主として下向きに開口するように形成した点が相違する。ガイド部１８´Ｃの形状によれば、フォーク２６は、下方向及び開方向、閉方向に動きやすくなっており、例えば、フォーク２６を下方に設置する場合などに有効である。
このように、支持手段におけるガイド部の形状は、設置される場所や高さ位置に応じてフォーク２６が最適な動きとなるように向きや開口形状等を設定することができる。
【００２９】
以上説明したように、本実施形態の動物用脱出施設１０によれば、開放動作を行うに際しては、フォーク状部１４が支持手段１８とともに回動する一方、各フォーク２６が個別に上下動並びに前後動するように構成しているので、例えば、積雪によって下方のフォーク２６が動かなくなった場合でも、他のフォーク２６は円滑な開放動作を行うことが可能である。また、雪の重みを、ねじ込み引張ばね２８によって吸収することができるので、フォーク２６の破損を未然に防止することが可能となり、ゲート全体しての耐久性の向上に資する。
【産業上の利用可能性】
【００３０】
以上説明したように、本考案によれば、道路等に沿って設置されるフェンスの要所に設けられる動物用脱出施設の動作の円滑化、耐久性の向上を図ることが可能となり、対動物との衝突事故の低減、動物保護に寄与する。
【符号の説明】
【００３１】
１０  動物用脱出施設
１２  支柱
１４  フォーク状部
１５  鋼管杭
１６  天端梁
１７  Ｌ型接続金具
１８  １８´  支持手段
１８Ａ  表側側面部
１８Ｂ  裏側側面部
１８Ｃ  １８´Ｃ  ガイド部
２０  扉枠
２０Ａ  底部
２１  軸棒受けプレート
２２  軸棒受ブロック２２
２３Ａ  ボルト
２３Ｂ  ナット
２４  トーションスプリング
２５  取付ボルト
２６  フォーク
２６Ａ  根元部分
２８  ねじ込み引張ばね
３０  樹脂製ボール
３２  溶接金物
２００  フェンス
【図１】
0003162813.tif 000003
【図２】
0003162813.tif 000004
【図３】
0003162813.tif 000005
【図４】
0003162813.tif 000006
【図５】
0003162813.tif 000007
【図６】
0003162813.tif 000008
【図７】
0003162813.tif 000009
【図８】
0003162813.tif 000010